(57)【要約】【課題】囮鮎の姿勢が安定するハナカン２の提供【解決手段】ハナカン２は、チューブ４と本体６とを備えている。チューブ４は実質的に円弧状である。このチューブ４は中空である。このチューブ４は、自由端１０及び固定端１２を備えている。本体６は実質的にＣ字状である。この本体６は、先端１６及び後端１８を有している。本体６の後端１８の近傍は、チューブ４の固定端１２の近傍に圧入されている。この圧入により、本体６とチューブ４とが連結されている。自由端１０は、本体６の後端１８の近傍に当接している。本体６とチューブ４との連結により、ハナカン２の形状は、実質的には、環状を呈する。このハナカン２が囮鮎の鼻孔に通されるとき、自由端１０は弾性変形する。【選択図】図１
2014042468.tif 000002
【特許請求の範囲】
【請求項１】
実質的にＣ字状であり、先端及び後端を有する本体
並びに
実質的に円弧状であり、自由端及び固定端を有しており、弾性材料から形成されたチューブ
を備えており、
上記本体の後端の近傍が上記チューブの固定端の近傍に挿入されることにより、上記本体とチューブとが、実質的に環状をなすように連結されているハナカン。
【請求項２】
上記チューブの自由端がこのチューブの半径方向に対して傾斜しており、この自由端が上記本体の後端の近傍に当接している請求項１に記載のハナカン。
【請求項３】
上記チューブがその表面に段差部を備えている請求項１又は２に記載のハナカン。
【発明の詳細な説明】
【技術分野】
【０００１】
本発明は、鮎の友釣り等に用いられるハナカンに関する。
【背景技術】
【０００２】
鮎の友釣りでは、道糸に囮鮎が取り付けられる。この取り付けに、ハナカンが用いられている。ハナカンは、鮎の鼻孔に通される。このハナカンに、道糸が結ばれる。ハナカンにはさらに、ハリスが結ばれる。このハリスの後端には、イカリが取り付けられる。囮鮎を攻撃する目的でこの囮鮎に近づいた獲物鮎は、このイカリに引っ掛かり、釣り上げられる。
【０００３】
特開平１１−３２６３４号公報には、本体と可撓性部材とを備えたハナカンが開示されている。本体が鮎の鼻孔に通されるときには、可撓性部材が弾性変形する。本体が鼻孔に通された後、可撓性部材は復元する。この可撓性部材により、鮎がハナカンから外れることが防止される。友釣りがなされているときは、可撓性部材は直線状を呈する。同様のハナカンが、特開２００３−９７３９公報にも開示されている。
【先行技術文献】
【特許文献】
【０００４】
【特許文献１】特開平１１−３２６３４号公報
【特許文献２】特開２００３−９７３９公報
【発明の概要】
【発明が解決しようとする課題】
【０００５】
従来のハナカンでは、可撓性部材が直線的であるので、全体形状は非環状である。このハナカンでは、囮鮎がハナカンに対して左右に回転しにくい。従って、囮鮎の姿勢が安定しにくい。
【０００６】
本発明の目的は、囮鮎の姿勢が安定するハナカンの提供にある。
【課題を解決するための手段】
【０００７】
本発明に係るハナカンは、
実質的にＣ字状であり、先端及び後端を有する本体
並びに
実質的に円弧状であり、自由端及び固定端を有しており、弾性材料から形成されたチューブ
を備える。本体の後端の近傍は、チューブの固定端の近傍に挿入される。この挿入により、本体とチューブとが、実質的に環状をなすように連結される。
【０００８】
好ましくは、チューブの自由端は、このチューブの半径方向に対して傾斜している。この自由端は、本体の後端の近傍に当接する。
【０００９】
好ましくは、チューブは、その表面に段差部を備える。
【発明の効果】
【００１０】
本発明に係るハナカンでは、本体が実質的にＣ字状であり、チューブが実質的に円弧状である。この本体とチューブとが連結されることにより、ハナカンは実質的に環状を呈する。このハナカンでは、囮鮎がハナカンに対して左右に回転しやすい。このハナカンに取り付けられた囮鮎の姿勢は、安定する。姿勢の安定は、釣果を高めうる。
【図面の簡単な説明】
【００１１】
【図１】図１は、本発明の一実施形態に係るハナカンが示された正面図である。
【図２】図２（ａ）は図１のハナカンのチューブが示された正面図であり、図２（ｂは図１のハナカンの本体が示された正面図である。
【図３】図３は、図１のハナカンが示された正面図である。
【図４】図４は、図１のハナカンが用いられた仕掛けが囮鮎と共に示された斜視図である。
【発明を実施するための形態】
【００１２】
以下、適宜図面が参照されつつ、好ましい実施形態に基づいて本発明が詳細に説明される。
【００１３】
図１及び２に示されたハナカン２は、チューブ４と本体６とを備えている。このハナカン２のサイズＬ１は、５ｍｍから１０ｍｍ程度である。
【００１４】
図２（ａ）に示されるように、チューブ４は実質的に円弧状である。このチューブ４は、孔８を有している。換言すれば、このチューブ４は中空である。このチューブ４は、自由端１０及び固定端１２を備えている。自由端１０は、このチューブ４の半径方向に対して傾斜している。
【００１５】
チューブ４は、その外周面に段差部１４を備えている。段差部１４は、チューブ４の一部が薄肉とされることによって形成されている。段差部１４は、凹陥している。
【００１６】
チューブ４は、弾性材料から形成されている。典型的な弾性材料は、軟質合成樹脂である。このチューブ４は、熱成形により得られうる。チューブ４が、架橋されたゴムから形成されてもよい。
【００１７】
図２（ｂ）に示されるように、本体６は実質的にＣ字状である。この本体６は、先端１６及び後端１８を有している。先端１６は、後端１８とは離間している。換言すれば、先端１６と後端１８との間には、スペースが存在する。先端１６の近傍は、テーパー状である。
【００１８】
本体６は、硬質材料から形成されている。典型的な硬質材料は、金属又は硬質合成樹脂である。金属の具体例として、メッキが施されたスチール、ステンレススチール及びチタン合金が例示される。
【００１９】
図１に示されるように、本体６の後端１８の近傍は、チューブ４の固定端１２の近傍に挿入されている。自由端１０の近傍には、本体６は挿入されていない。自由端１０は、本体６の拘束を受けることなく、変形しうる。本体６の径は、チューブ４の内径よりも若干大きい。従って、本体６はチューブ４に圧入されている。この圧入により、本体６とチューブ４とが連結されている。自由端１０は、本体６の後端１８の近傍に当接している。本体６とチューブ４との連結により、ハナカン２は、実質的な環状を呈する。
【００２０】
このハナカン２が使用されるときには、囮鮎の鼻孔に、まず本体６の先端１６が通される。前述の通り先端１６の近傍はテーパー状なので、鼻孔への先端１６の挿入は容易である。先端１６が鼻孔に通されることにより、チューブ４の自由端１０の近傍が、囮鮎の鼻に当接する。この当接により、図３に示されるように、自由端１０の近傍が湾曲する。この湾曲は、弾性変形である。
【００２１】
先端１６と後端１８とのほぼ中央に鼻孔が位置するまで、鼻孔への挿入がさらに進められる。挿入の進行により、自由端１０の近傍が、囮鮎の鼻から離れる。自由端１０の近傍は、図１に示された状態へと復元する。この復元により、自由端１０が本体６に当接する。前述の通り自由端１０はチューブ４の半径方向に対して傾斜しているので、自由端１０は広い面積をもって本体６に当接する。この自由端１０は、ハナカン２から囮鮎が外れることを防止する。
【００２２】
図４は、図１のハナカン２が用いられた仕掛けが囮鮎２０と共に示された正面図である。前述の通り、ハナカン２は囮鮎２０の鼻孔２２に通されている。このハナカン２に、道糸２４が結ばれている。道糸２４は、段差部１４（図１参照）に結ばれている。段差部１４が凹陥しているので、道糸２４のずれが防止される。
【００２３】
段差部１４にはさらに、中ハリス２６が結ばれている。中ハリス２６が、道糸２４に結ばれてもよい。この中ハリス２６の後端に、逆針２８が取り付けられている。この逆針２８は、囮鮎２０の尻鰭３０の近辺に差し込まれている。
【００２４】
逆針２８からは、ハリス３２が延びている。このハリス３２の後端に、イカリ３４が取り付けられている。囮鮎２０が泳ぐとき、このイカリ３４は、囮鮎２０の尾鰭３６の付近で漂う。囮鮎２０を攻撃する目的でこの囮鮎２０に近づいた獲物鮎は、このイカリ３４に引っ掛かる。囮鮎２０及び獲物鮎は、玉網ですくい上げられる。
【００２５】
前述の通り、ハナカン２は実質的に環状である。従って、囮鮎２０がハナカン２に対して左右に回転しやすい。このハナカン２に取り付けられた囮鮎２０の姿勢は、安定する。姿勢の安定は、釣果を高めうる。
【００２６】
図１において矢印Ｌ２で示されているのは、本体６の先端１６の、チューブ４の自由端１０からの突出長さである。突出長さＬ２は、０．２ｍｍ以上２．０ｍｍ以下が好ましい。突出長さＬ２が０．２ｍｍ以上であるハナカン２は、囮鮎２０の鼻孔２２に容易に通されうる。この観点から、突出長さＬ２は０．５ｍｍ以上が特に好ましい。突出長さＬ２が２．０ｍｍ以下であるハナカン２は、玉網に絡まりにくい。この観点から、突出長さＬ２は１．５ｍｍ以下が特に好ましい。
【産業上の利用可能性】
【００２７】
本発明に係るハナカンは、種々の魚をターゲットにした釣りに用いられうる。
【符号の説明】
【００２８】
２・・・ハナカン
４・・・チューブ
６・・・本体
８・・・孔
１０・・・自由端
１２・・・固定端
１４・・・段差部
１６・・・先端
１８・・・後端
【図１】
2014042468.tif 000003
【図２】
2014042468.tif 000004
【図３】
2014042468.tif 000005
【図４】
2014042468.tif 000006